(57)【要約】【課題】メモリーカード収納ケースの提供。【解決手段】メモリーカード収納ケースは、シングルインターフェース・メモリーカード、ダブルインターフェース・メモリーカード、及び(或いは)アダプターなどのメモリーカードの収納に用いる。ケース内部に可動カードホルダー1つを設け、メモリーの相対する側の位置決め口を弾力で保持する。カードホルダーの一端にはケースから露出する操作部を設け、力を加えるとカードホルダーを動かし、メモリーカードの位置決め口をすばやく開放する。そのため、収納ケースはシングルインターフェース・メモリーカード、ダブルインターフェース・メモリーカード、及び(或いは)アダプターを、迅速で便利且つ強制的に固定位置に収納、取り出すことができ、しかもメモリーカードが外力及び振動などの原因で収納ケースから外へ脱落するのを避けることができる。【選択図】図２
0003128521.tif 000002
【実用新案登録請求の範囲】
【請求項１】
ケースの一端にスロットが設けられ、メモリーカードの収納に供され、当該ケース内部には可動カードホルダーを置き、メモリーカードと相対する側の位置決め口を弾力で保持し、当該カードホルダーの一端に、ケースから露出する操作部を設けて、力を加えてそのカードホルダーを動かして、メモリーカードの位置決め口をすばやく開放することを特徴とするメモリーカード収納ケース。
【請求項２】
請求項１記載のメモリーカード収納ケースにおいて、当該ケース内部の側壁とスロットの間にそのカードホルダーを置き、当該カードホルダーにはその操作部、別の一端にフック部、及び両端間に位置する可動支点を設け、そのケースの側壁にはその操作部に配合する開孔を設け、そのスロットの相対するスロット壁にそのフック部に配合する通し孔を設け、当該フック部はその通し孔を通して、そのスロット内に進入し、そのメモリーカードを相対する側の位置決め口に弾力で保持し、当該操作部はそのケースの開孔から露出して、内向きに力を加えると、そのカードホルダーを動かし、そのフック部を連動させてメモリーカードを位置決め口から退出させることを特徴とするメモリーカード収納ケース。
【請求項３】
請求項２記載のメモリーカード収納ケースにおいて、当該可動支点がそのカードホルダーに設置されたピボット孔を包括し、またそのケースにはそのピボット孔を通る支軸が設けられていることを特徴とするメモリーカード収納ケース。
【請求項４】
請求項１或いは請求項２記載のメモリーカード収納ケースにおいて、当該カードホルダーが弾力装置を設け、当該弾力装置の一端が常時的にそのカードホルダーを押していることを特徴とするメモリーカード収納ケース。
【請求項５】
請求項４記載のメモリーカード収納ケースにおいて、当該弾力装置には弾性板が設けられていることを特徴とするメモリーカード収納ケース。
【請求項６】
請求項５記載のメモリーカード収納ケースにおいて、当該弾性板の一端がそのカードホルダーに連なり一体となり、別の一端をストップエンドとすることを特徴とするメモリーカード収納ケース。
【請求項７】
請求項６記載のメモリーカード収納ケースにおいて、当該弾性板の一端が、そのカードホルダーの別一端の外側と一体となり外側へ斜め向きに延伸し、そのストップエンドをそのケースの相対する所に当てることを特徴とするメモリーカード収納ケース。
【請求項８】
請求項１記載のメモリーカード収納ケースにおいて、当該ケースが、蓋1つとケース台1つを組み合わせて構成されることを特徴とするメモリーカード収納ケース。
【請求項９】
請求項１記載のメモリーカード収納ケースにおいて、当該メモリーデバイスをメモリーカードと設定し、その1つの側辺にその位置決め口を設けることを特徴とするメモリーカード収納ケース。
【請求項１０】
請求項１記載のメモリーカード収納ケースにおいて、当該メモリーデバイスをアダプターと設定し、その1つの側辺にその位置決め口を設けることを特徴とするメモリーカード収納ケース。
【考案の詳細な説明】
【技術分野】
【０００１】
本考案はメモリーカード収納ケースに関するもので、特にシングルインターフェース・メモリーカード、ダブルインターフェース・メモリーカード、及び(或いは)アダプターに用いる収納ケースを指す。
【背景技術】
【０００２】
現在、エレクトリック・カードはパソコンや電子字典などの方面によく用いられ、メモリー、ネットワークカード、モデムカード、SCSIデバイス(例えば高容量ハードディスク、スキャナー)を拡充する。
【０００３】
現在、エレクトリック・カードはPCMCIAカードタイプを除き、大部分がMMC (Multi Media Card)、CF (Compact Flash Card)、SMC (Smart Media（登録商標） Card)、MS (Memory Stick)、SD (Secure Digital Memory Card)などの規格があり、パームパソコン(PDA)、携帯用電子字典及びデジタルカメラなどの製品に利用されている。
【０００４】
従来のメモリーカードの多くは、一種類の規格のインターフェースを持つだけなので、広く応用されているUSB規格の接続インターフェースを適用することができない。このため、現在ではすでにダブルインターフェース・メモリーカードがあり、USBとカードリーダーのインターフェースが設けられ、USBを選択することで電子デバイスのUSBポートに挿入してデータのやり取りを行う。また読み書きインターフェースを選択し、同じ規格のカードリーダースロットに挿入して、データの読み書き保存ができる。このほか、ダブルインターフェース・メモリーカードのカードリーダーをアダプターに挿すと、さらに別のメモリーカード型式に変換することができる。
【０００５】
現在、メモリーカード及びそのアダプターなどの組合せは、収納及び携帯使用の便利のために、1つのケースに入れて保存することができる。しかし、一般の収納ケースの構造では、メモリーカードやそのアダプターは便利で迅速な収納ができず、しかも、メモリーカード及びそのアダプターが外力及び振動などの原因で容易に外へ脱落し、ぶつかって破損し、ひどい時には落として遺失するので、新たに改良を加える必要がある。
【考案の開示】
【考案が解決しようとする課題】
【０００６】
本考案の目的は、メモリーカード収納ケースを提供し、主にシングルインターフェース・メモリーカード、ダブルインターフェース・メモリーカード、及び(或いは)アダプターを迅速で便利且つ強制的に定位置に収納でき、しかもメモリーカードが外力及び振動などの原因で収納ケースから外へ脱落するのを避け、また多用途の実際の使用ニーズに適合させることである。
【０００７】
上記の目的を達成させるため、本新案の収納ケースはケースの一端にスロットを設け、そのメモリーカードを入れるために提供する。そのケース内部には可動カードホルダーが設置され、そのメモリーカードを相対する位置決め口に弾力で保持する。そのカードホルダーの一端にはそのケースから露出する操作部が設けられ、力を加えそのカードホルダーを動かし、そのメモリーカードの位置決め口を開放する。
【０００８】
好ましい実施例中において、当該ケース内部に側壁の一端とスロットとの間に当該カードホルダーを設け、当該カードホルダーには操作部、そしてもう一端にはフック部、また両端の間に可動支点に位置が設けられている。当該ケースの側壁には当該操作部に配合して開孔を設け、当該スロットの相対するスロット壁にはそのフック部に配合した通し孔を設ける。当該フック部はその通し孔を通してそのスロット内に進入し、弾力によりそのメモリーカードを相対する側の位置決め口に保持する。当該操作部はそのケースの開孔から露出し、内向きへ力を加えるとそのカードホルダーを動かし、当該フック部を連動し、そのメモリーカードの位置決め口から退出させる。
【０００９】
上記の可動支点はそのカードホルダーに設置されているピボット孔を包括し、またそのケースにはそのピボット孔を通る支軸が設けられている。当該カードホルダーは、弾力装置を設置し、当該弾力装置の一端は常時的に当該カードホルダーを押している。
【課題を解決するための手段】
【００１０】
請求項１の考案は、ケースの一端にスロットが設けられ、メモリーカードの収納に供され、当該ケース内部には可動カードホルダーを置き、メモリーカードと相対する側の位置決め口を弾力で保持し、当該カードホルダーの一端に、ケースから露出する操作部を設けて、力を加えてそのカードホルダーを動かして、メモリーカードの位置決め口をすばやく開放することを特徴とするメモリーカード収納としている。
請求項２の考案は、請求項１記載のメモリーカード収納ケースにおいて、当該ケース内部の側壁とスロットの間にそのカードホルダーを置き、当該カードホルダーにはその操作部、別の一端にフック部、及び両端間に位置する可動支点を設け、そのケースの側壁にはその操作部に配合する開孔を設け、そのスロットの相対するスロット壁にそのフック部に配合する通し孔を設け、当該フック部はその通し孔を通して、そのスロット内に進入し、そのメモリーカードを相対する側の位置決め口に弾力で保持し、当該操作部はそのケースの開孔から露出して、内向きに力を加えると、そのカードホルダーを動かし、そのフック部を連動させてメモリーカードを位置決め口から退出させることを特徴とするメモリーカード収納ケースとしている。
請求項３の考案は、請求項２記載のメモリーカード収納ケースにおいて、当該可動支点がそのカードホルダーに設置されたピボット孔を包括し、またそのケースにはそのピボット孔を通る支軸が設けられていることを特徴とするメモリーカード収納ケースとしている。
請求項４の考案は、請求項１或いは請求項２記載のメモリーカード収納ケースにおいて、当該カードホルダーが弾力装置を設け、当該弾力装置の一端が常時的にそのカードホルダーを押していることを特徴とするメモリーカード収納ケースとしている。
請求項５の考案は、請求項４記載のメモリーカード収納ケースにおいて、当該弾力装置には弾性板が設けられていることを特徴とするメモリーカード収納ケースとしている。
【００１１】
請求項６の考案は、請求項５記載のメモリーカード収納ケースにおいて、当該弾性板の一端がそのカードホルダーに連なり一体となり、別の一端をストップエンドとすることを特徴とするメモリーカード収納ケースとしている。
請求項７の考案は、請求項６記載のメモリーカード収納ケースにおいて、当該弾性板の一端が、そのカードホルダーの別一端の外側と一体となり外側へ斜め向きに延伸し、そのストップエンドをそのケースの相対する所に当てることを特徴とするメモリーカード収納ケースとしている。
請求項８の考案は、請求項１記載のメモリーカード収納ケースにおいて、当該ケースが、蓋1つとケース台1つを組み合わせて構成されることを特徴とするメモリーカード収納ケースとしている。
請求項９の考案は、請求項１記載のメモリーカード収納ケースにおいて、当該メモリーデバイスをメモリーカードと設定し、その1つの側辺にその位置決め口を設けることを特徴とするメモリーカード収納ケースとしている。
請求項１０の考案は、請求項１記載のメモリーカード収納ケースにおいて、当該メモリーデバイスをアダプターと設定し、その1つの側辺にその位置決め口を設けることを特徴とするメモリーカード収納ケースとしている。
【考案の効果】
【００１２】
本考案の収納ケースは、シングルインターフェース・メモリーカード、ダブルインターフェース・メモリーカード、及び(或いは)アダプターを迅速で便利、且つ強制的に定位置に収納し、取り出すことができる。しかもメモリーカードが外力及び振動などの原因で収納ケースから外へ脱落するのを避けることができ、多用途で実際的な使用ニーズに適合しておりる。
【考案を実施するための最良の形態】
【００１３】
まず、図１から図５を参照の事。本新案の収納ケース(10)は主にシングルインターフェース・メモリーカード(31)、ダブルインターフェース・メモリーカード(30)、及び(或いは)アダプター(34)などのメモリーカードを収納し、図１及び図２に示すように、当該収納ケース(10)はケースの一端に少なくとも1つのスロット(13)及びそのスロット口(13a)を設けて、当該メモリーカードの収納に供する。当該ケース内部に可動カードホルダー(20)を置き、当該メモリーカードを相対する側の位置決め口(38)に弾力で押さえる。当該カードホルダー(20)の一端にはそのケースから露出する操作部(21)を設け、力を加えることでそのカードホルダー(20)を動かし、そのメモリーカードの位置決め口(38)を迅速に開放する。従って、収納ケース(10)は、シングルインターフェース・メモリーカード(31)、ダブルインターフェース・メモリーカード(30)、及び(或いは)アダプター(34)を迅速で便利且つ強制的に定位置に収納、及び取り出すことができ、しかもメモリーカードが外力及び振動などの原因で収納ケース(10)から外へ脱落するのを避けることができる。
【００１４】
図２に示す収納ケース(10)の構造においては、スロット(13)にアダプター(34)及びその内部のダブルインターフェース・メモリーカード(30)を定位置に収納し、当該メモリーカード(30)は図４に示すようにUSBポート(36)及びカードリーダースロット(37)を有する。そのため収納ケース(10)の所定位置のアダプター(34)から単独で取り出す事ができ(図２及び図３を参照の事)、メモリーカード(30)はUSBポート(36)を選択して、USBポート(図は未表示)に挿して、データのやり取りを行うことができる。このほか、メモリーカード(30)及びそのアダプター(34)を一緒に取り出す事ができ、メモリーカード(30)のカードリーダースロット(37)をアダプター(34)に配合させ、SDカード、MSカード、或いはその他メモリーカードの型式に変換して、カードデータのやり取りを行うことができる。
【００１５】
図５に示す、従来のシングルインターフェース・メモリーカード(31)も同様に、収納ケース(10)のスロット(13)内に入れる事ができ、しかもカードホルダー(20)でメモリーカード(31)を相対する側の位置決め口(39)に弾力で保持することができる。
【００１６】
本実施例の収納ケース(10)は、ケース蓋(11)及びケース台(12)を上下組合せ、しかも互いの間に複数のフック(17)及びフック穴(18)を採用し(図７及び図９を参照する事)、相対的に合わせて固定する。そして収納ケース(10)の角に通し孔(19)を1つ設けて、キーホルダーをつけるのに供する(図未表示)。
【００１７】
図６から図９に示す好ましい実施例において、そのケース内部の一つの側壁とスロット(13)との間にそのカードホルダー(20)を設け、当該カードホルダー(20)には当該操作部(21)、別の一端にフック部(22)、及び両端の間に位置する可動支点を設ける。そのケースの側壁にはその操作部(21)に配合する開孔(14)を設け、当該スロット(13)の相対するスロット壁にそのフック部(22)に配合する通し孔(15)を設ける。当該フック部(22)は当該通し孔(15)を通して、そのスロット(13)内に進入し、当該メモリーカードを図２に示すアダプター(34)の相対する側の位置決め口(38)に弾力で押さえる。当該操作部(21)はそのケースの開孔(14)から露出し、内向きに力を加えると(図１０を参照のこと)、そのカードホルダー(20)を動かさせ、当該フック部(22)を連動させて当該アダプター(34) (メモリーカード)を位置決め口(38) から退出させる。ユーザーがアダプター(34)及びその内部のメモリーカード(30)を一緒に取り出すことができる。ユーザーがアダプター(34)をスロット(13)に挿入する時は、カードホルダー(20)のフック部(22)を直接外へ押しやり、またその弾力の回復により位置決め口(38)に保持する。
【００１８】
上記のカードホルダー(20)の可動支点は、そのカードホルダー(20)に設けられたピボット孔(23)1つを包括し、またそのケース台(12)にはそのピボット孔(23)を通す支軸(16)が設置され、カードホルダー(20)が支軸(16)を中心点とすることに供される。図６及び図８が示すカードホルダー(20)において、弾力装置(24)を設置することができ、弾力装置(24)の一端(25)は常態的にそのカードホルダー(20)を押さえ、フック部(22)を常態的にスロット(13)の片側の通し孔(15)に進入させている。図に示すように当該弾力装置(24)には弾性板を1つ設け、その一端(25)はカードホルダー(20)のフック部(22)の外側に連なって一体とすることができる。しかも一体となって外向きに斜めに延伸し、別の一端をストップエンド(26)とし、且つケース内部の相対する所に当たって、カードホルダー(20)を常時的に押さえている。これ以外に、カードホルダー(20)の操作部(21)にストッパー(27)を設けることができ、ケースの開孔(14)の側壁内縁に当てる事ができる。
【００１９】
図１１及び図１２に示す別の実施例を参照の事。収納ケース(101)にはスロット(131)、(132)、(133)が設置され、メモリーカード(30)とそのSDカードアダプター(34)、メモリーカード(32)とそのMSカードアダプター(35)、そしてまた、メモリーカードセット(33)を収納するのに供され、理想的な収納配置を達成する。
【図面の簡単な説明】
【００２０】
【図１】本考案の比較的良い実施例の収納ケースの使用状態図である。
【図２】図１の収納ケースの蓋を外した図である。
【図３】図２の収納ケースからメモリーカードを抜き取った図である。
【図４】図２のメモリーカードの別の面の立体図である。
【図５】図２の収納ケースにシングルインターフェース・メモリーカードを挿入した図である。
【図６】図２の収納ケースからメモリーカード及びアダプターを抜き取った立体図である。
【図７】図６のケース台の立体図である。
【図８】図６のカードホルダーの立体図である。
【図９】図１のケース蓋の底面の立体図である。
【図１０】図２のカードホルダー操作部の局部拡大図である。
【図１１】本考案の別実施例の収納ケースの使用状態図である。
【図１２】図１１の収納ケースの蓋を外した図である。
【符号の説明】
【００２１】
(10)  収納ケース          (11)  ケース蓋          (12)  ケース台
(13)  スロット            (13a)  スロット口        (14)  開孔
(15)  通し孔              (16)  支軸              (17)  フック
(18)  フック穴            (19)  通し孔
(20)  カードホルダー      (21)  操作部            (22)  フック部
(23)  ピボット孔          (24)  弾力装置          (25)  一端
(26)  ストップエンド      (27)  ストッパー
(30)、(31)、(32)  メモリーカード
(33)  メモリーカードセット
(34)、(35)  アダプター
(36)  USBポート          (37)  カードリーダー用スロット
(38)、(39)  位置決め口
(101)  収納ケース        (131)、(132)、(133)  スロット
(201)、(202)  カードホルダー
【図１】
0003128521.tif 000003
【図２】
0003128521.tif 000004
【図３】
0003128521.tif 000005
【図４】
0003128521.tif 000006
【図５】
0003128521.tif 000007
【図６】
0003128521.tif 000008
【図７】
0003128521.tif 000009
【図８】
0003128521.tif 000010
【図９】
0003128521.tif 000011
【図１０】
0003128521.tif 000012
【図１１】
0003128521.tif 000013
【図１２】
0003128521.tif 000014
【手続補正書】
【提出日】平成18年10月27日(2006.10.27)
【手続補正１】
【補正対象書類名】明細書
【補正対象項目名】０００３
【補正方法】変更
【補正の内容】
【０００３】
現在、エレクトリック・カードはPCMCIAカードタイプを除き、大部分がMMC（Multi Media Card（登録商標））、CF（Compact Flash（登録商標）Card）、SMC（Smart Media（登録商標）Card）、MS（Memory Stick（登録商標））、SD（Secure Digital（登録商標）Memory Card）などの規格があり、パームパソコン(PDA)、携帯用電子字典及びデジタルカメラなどの製品に利用されている。